(57)【要約】【課題】車内に設置しないで効率のよい脱臭を行うための消臭剤保持装置を提供する。【解決手段】消臭剤保持装置１は、消臭剤２０を保持する保持部１１と、自動車のエンジンルーム内に着設可能であり、保持部１１によって保持される消臭剤２０が、自動車の車内に空気を取り入れる吸気口の位置となるように保持部１１を支持できる支持部１２ａ，１２ｂ，１２ｃ，１２ｄと、を備えることにより、エンジンルーム内において、脱臭を行うことができる。また、吸気口の位置で消臭を行うため、外気から導入される臭いを、最も効率的に低減させることができる。【選択図】図１
2015000632.tif 000002
【特許請求の範囲】
【請求項１】
消臭剤を保持する保持部と、
自動車のエンジンルーム内に着設可能であり、前記保持部によって保持される消臭剤が、前記自動車の車内に空気を取り入れる吸気口の位置となるように前記保持部を支持できる支持部と、を備えた消臭剤保持装置。
【請求項２】
前記支持部は、自動車のボンネットの裏面に着設可能である、請求項１記載の消臭剤保持装置。
【請求項３】
前記支持部は、磁石を有しており、当該磁石によって前記ボンネットの裏面に着設可能である、請求項２記載の消臭剤保持装置。
【請求項４】
前記ボンネットから離れる方向に前記保持部を付勢する付勢手段をさらに備えた、請求項２または請求項３記載の消臭剤保持装置。
【請求項５】
前記支持部は、前記ボンネットに対する前記保持部の距離を調整可能である、請求項２から請求項４のいずれか記載の消臭剤保持装置。
【請求項６】
前記支持部は、前記ボンネットに対する前記保持部の角度を調整可能である、請求項２から請求項５のいずれか記載の消臭剤保持装置。
【請求項７】
前記消臭剤をさらに備え、
前記消臭剤は、備長炭のチップである、請求項１から請求項６のいずれか記載の消臭剤保持装置。
【発明の詳細な説明】
【技術分野】
【０００１】
本発明は、自動車の車内に空気を取り入れる吸気口の位置に消臭剤を保持可能な消臭剤保持装置に関する。
【背景技術】
【０００２】
従来、自動車の車内において脱臭を行うための種々の脱臭装置や消臭剤等が開発されている（例えば、特許文献１参照）。
【先行技術文献】
【特許文献】
【０００３】
【特許文献１】特開平５−２０１２４４号公報
【発明の概要】
【発明が解決しようとする課題】
【０００４】
しかしながら、従来の脱臭装置や消臭剤等は、自動車の車内の臭いを低減するものであり、通常は車内に設置されるため、設置場所が必要になる、見栄えがよくないなどの問題があった。また、車内で消臭を行う場合には、車外の臭いを一度は車内に取り込んでしまうことになる。その結果、車内に取り込まれた臭いが低減されるまでは、車内にいる者はその臭いを我慢しなくてはならないという問題もあった。
【０００５】
本発明は、上記課題を解決するためになされたものであり、車内に設置する必要がなく、外気から取り込まれる空気に関する消臭を効率よく行うために用いることができる消臭剤保持装置を提供することを目的とする。
【課題を解決するための手段】
【０００６】
上記目的を達成するため、本発明による消臭剤保持装置は、消臭剤を保持する保持部と、自動車のエンジンルーム内に着設可能であり、保持部によって保持される消臭剤が、自動車の車内に空気を取り入れる吸気口の位置となるように保持部を支持できる支持部と、を備えたものである。
このような構成により、エンジンルーム内に消臭剤を保持できるため、車内に消臭剤を設置する場所が不要となり、また車内の見栄えが悪くなることを回避することができる。また、自動車の車内に空気を取り入れる吸気口の位置において消臭を行うため、外気から導入される臭いの脱臭を最も効率的に行うことができる。また、車外の臭いを車内にできるだけ取り込まないようにすることができる。
【０００７】
また、本発明による消臭剤保持装置では、支持部は、自動車のボンネットの裏面に着設可能であってもよい。
このような構成により、消臭剤保持装置をエンジンルーム内で容易に着設できる。
【０００８】
また、本発明による消臭剤保持装置では、支持部は、磁石を有しており、磁石によってボンネットの裏面に着設されてもよい。
ボンネットは通常、磁石のくっつく素材でできているため、このような構成により、本装置をボンネットの裏面に容易に設置することができる。また、磁石であるため、位置を調整するために、本装置の着設位置を変更することも容易である。
【０００９】
また、本発明による消臭剤保持装置では、ボンネットから離れる方向に保持部を付勢する付勢手段をさらに備えてもよい。
このような構成により、付勢手段によって保持部を吸気口に向かって付勢することで、消臭剤と吸気口とをより密着させることができ、消臭の効果がより高くなりうる。また、通常、ボンネットを閉めた状態でエンジンルーム内の状態を知ることはできないため、保持部の位置を調整可能であったとしても、適切に調整するためには慣れが必要になるが、このように付勢手段を用いることによって、慣れていなくても適切な設置が可能となる。
【００１０】
また、本発明による消臭剤保持装置では、支持部は、ボンネットに対する保持部の距離を調整可能であってもよい。
このような構成により、消臭剤が吸気口の位置となるように調整できるようになる。
【００１１】
また、本発明による消臭剤保持装置では、支持部は、ボンネットに対する保持部の角度を調整可能であってもよい。
このような構成により、消臭剤が吸気口の位置となるように調整できるようになる。
【００１２】
また、本発明による消臭剤保持装置では、消臭剤をさらに備え、消臭剤は、備長炭のチップであってもよい。
このような構成により、備長炭のチップにより、効率的に消臭を行うことができる。また、チップであるため、表面積が大きくなり、消臭の効果が高くなる。
【発明の効果】
【００１３】
本発明による消臭剤保持装置によれば、消臭剤を車内に設置する必要がない。また、外気から取り込まれる空気に関する消臭を効率よく行うことができる。
【図面の簡単な説明】
【００１４】
【図１】本発明の実施の形態１による消臭剤保持装置の側面図
【図２】同実施の形態による消臭剤保持装置の底面図
【図３Ａ】同実施の形態による消臭剤保持装置の設置状態の一例を示す図
【図３Ｂ】同実施の形態による消臭剤保持装置の設置状態の一例を示す図
【図４Ａ】同実施の形態による支持部の調整機構について説明するための図
【図４Ｂ】同実施の形態による付勢手段を有する支持部について説明するための図
【発明を実施するための形態】
【００１５】
以下、本発明による消臭剤保持装置について、実施の形態を用いて説明する。なお、以下の実施の形態において、同じ符号を付した構成要素は同一または相当するものであり、再度の説明を省略することがある。
【００１６】
（実施の形態１）
本発明の実施の形態１による消臭剤保持装置について、図面を参照しながら説明する。本実施の形態による消臭剤保持装置は、自動車のエンジンルーム内に着設され、消臭剤が車内に外気を取り入れる吸気口の位置となるように保持するものである。
【００１７】
図１は、本実施の形態による消臭剤保持装置１の側面図であり、図２は、消臭剤保持装置１の底面図である。図２は、図１の図中の下方から見た消臭剤保持装置１を示すものである。
【００１８】
消臭剤保持装置１は、保持部１１と、支持部１２ａ，１２ｂ，１２ｃ，１２ｄと、消臭剤２０とを備えている。なお、図２では、説明の便宜上、消臭剤２０を図示していない。消臭剤２０は、消臭機能を有する物質であれば、どのようなものであってもよい。消臭剤２０は、脱臭剤であると考えてもよい。すなわち、ここでは、消臭剤と脱臭剤とを区別しないものとする。消臭剤２０は、例えば、炭や活性炭であってもよい。具体的には、消臭剤２０は、備長炭のチップであってもよい。備長炭は、消臭効果が高いため好適である。そのチップは、例えば、直径が５〜１０ｍｍ程度のチップであってもよい。備長炭をチップ状にすることにより、表面積が大きくなり、消臭効果がより高くなる。消臭剤２０として備長炭のチップを用いる場合に、例えば、そのチップはメッシュ状の袋などに入れられていてもよく、不織布等によって挟まれていてもよく、その他の方法によって、バラバラにならないようにまとめられていてもよい。
【００１９】
保持部１１は、消臭剤２０を保持する。保持部１１は、保持している消臭剤２０の位置を空気が通過しやすいように消臭剤２０を保持することが好適である。例えば、図１，図２で示されるように、保持部１１は、網状の壁面を有する箱状のものであってもよい。なお、図１において、保持部１１の上面側（すなわち、図中の上側）は、開口していてもよく、そうでなくてもよい。後者の場合には、保持部１１の内部に消臭剤２０を入れることができるように、保持部１１のいずれかの面が開閉可能になっていてもよい。また、保持部１１の内部で消臭剤２０が移動しないように、消臭剤２０の位置を固定する図示しない固定手段を保持部１１が有していてもよい。なお、保持部１１の網目が十分細かい場合には、例えば、備長炭のチップが直接、保持部１１の内部に入れられてもよい。
【００２０】
支持部１２ａ，１２ｂ，１２ｃ，１２ｄは、自動車のエンジンルーム内に着設可能なものである。それらの支持部１２ａ，１２ｂ，１２ｃ，１２ｄは、例えば、自動車のボンネットの裏面に着設可能なものであってもよく、エンジンルーム内の吸気口に着設可能なものであってもよく、エンジンルーム内のその他の箇所に着設可能なものであってもよい。本実施の形態では、支持部１２ａ，１２ｂ，１２ｃ，１２ｄが、自動車のボンネットの裏面に着設可能なものである場合について主に説明する。そのボンネットの裏面とは、ボンネットのエンジンルーム側のことである。また、支持部１２ａ，１２ｂ，１２ｃ，１２ｄは、保持部１１によって保持される消臭剤２０が、自動車の車内に空気を取り入れる吸気口の位置となるように保持部１１を支持できるものとする。なお、支持部１２ａ，１２ｂ，１２ｃ，１２ｄが、消臭剤２０が吸気口の位置となるように保持部１１を支持するのは、消臭剤保持装置１が自動車に設置されたときである。
【００２１】
図１，図２で示されるように、支持部１２ａ，１２ｂ，１２ｃ，１２ｄはそれぞれ、Ｌ字部材１３ａ，１３ｂ，１３ｃ，１３ｄと、磁石１４ａ，１４ｂ，１４ｃ，１４ｄとを有している。そして、各支持部１２ａ，１２ｂ，１２ｃ，１２ｄは、磁石１４ａ，１４ｂ，１４ｃ，１４ｄによって自動車のボンネットの裏面に着設される。Ｌ字部材１３ａ，１３ｂ，１３ｃ，１３ｄと、磁石１４ａ，１４ｂ，１４ｃ，１４ｄとは、それぞれ接着等によって固定されてもよい。また、Ｌ字部材１３ａ，１３ｂ，１３ｃ，１３ｄと、保持部１１とは、それぞれ接着や溶接等によって固定されてもよい。
【００２２】
また、保持部１１やＬ字部材１３ａ，１３ｂ，１３ｃ，１３ｄの材質は問わない。その材質は、例えば、ステンレス等の金属であってもよく、樹脂であってもよく、その他の材質であってもよい。なお、消臭剤保持装置１は、雨天時等には水が入り込むこともありうるエンジンルーム内に配設されるため、その材質は、錆びないものであることが好適である。また、エンジンルーム内は、エンジン熱や日射等によって高温になることがあるため、その材質は、そのような高温に耐えられるものであることが好適である。
【００２３】
次に、図３Ａ，図３Ｂを用いて、消臭剤保持装置１の使用例について説明する。図３Ａ，図３Ｂは、消臭剤保持装置１を自動車２のボンネット３の裏面に着設したところを示す模式図である。図３Ａで示されるように、外気を取り入れるためのスリットを有する開孔４がボンネット３に設けられている場合には、保持部１１が開孔４と吸気口８との間となるように消臭剤保持装置１を設置することが好適である。一方、図３Ｂで示されるように、ボンネット３に開孔４が存在しない場合には、通常、外気はフロントウィンドウ５の下部と、ボンネット３のフロントウィンドウ５側の端辺との隙間から導入される。したがって、その場合には、図３Ｂで示されるように、保持部１１が、その隙間と吸気口８との間となるように消臭剤保持装置１を設置することが好適である。このように、消臭剤保持装置１によって吸気口８の位置に消臭剤２０を保持することによって、自動車２の空調装置（図示せず）が外気導入モードで作動する場合には、外気は消臭剤２０を介して吸気口８から室内に取り込まれることになる。その結果、効率的な消臭が可能となる。
【００２４】
なお、保持部１１が吸気口８の位置となるように適切に設置することができれば、消臭剤２０を吸気口８の開口部に近接させることができ、より消臭効果は高くなると考えられる。そのため、支持部１２ａ，１２ｂ，１２ｃ，１２ｄは、ボンネット３に対する保持部１１の距離を調整可能であってもよく、また、支持部１２ａ，１２ｂ，１２ｃ，１２ｄは、ボンネット３に対する保持部１１の角度を調整可能であってもよい。なお、ボンネット３に対する保持部１１の距離とは、ボンネット３の面に対して垂直な方向の距離である。そのような調整を行うことができるようにするため、例えば、支持部１２ａ，１２ｂ，１２ｃ，１２ｄは、図４Ａで示される構成であってもよい。なお、図４Ａでは、支持部１２ａの構成のみを示しているが、他の支持部１２ｂ，１２ｃ，１２ｄについても同様である。また、図４Ａにおいても、消臭剤２０を省略している。図４Ａにおいて、支持部１２ａは、Ｌ字部材１３ａと、磁石１４ａとを有している。Ｌ字部材１３ａは、磁石１４ａに固定された外筒パイプ２１と、保持部１１に固定された外筒パイプ２２と、Ｌ字状に曲げられた内パイプ２３と、外筒パイプ２１に対して内パイプ２３をネジ止めする雄ネジ２４と、外筒パイプ２２に対して内パイプ２３をネジ止めする雄ネジ２５とを有している。内パイプ２３は、外筒パイプ２１，２２内にスライド可能に挿入される。また、外筒パイプ２１，２２の側面にそれぞれ設けられたネジ孔に螺合する雄ネジ２４，２５をそれぞれ緩めると、内パイプ２３と磁石１４ａ及び保持部１１との位置関係を変更でき、それらの雄ネジ２４，２５を締めると、内パイプ２３と磁石１４ａ及び保持部１１との位置関係を固定できる。したがって、各支持部１２ａ，１２ｂ，１２ｃ，１２ｄについてそのような調整を行うことによって、ボンネット３に対する保持部１１の距離や角度を調整することができる。
【００２５】
以上のように、本実施の形態による消臭剤保持装置１によれば、エンジンルーム内において消臭剤２０を保持することができるため、室内に消臭剤を設置する必要がなくなる。その結果、消臭剤を設置するための室内の場所が不要となり、また見栄えもよくなる。また、その消臭剤２０を吸気口８の位置となるように保持することによって、自動車の室内に取り入れられる空気の臭いを最も効率的に低減することができる。また、支持部１２ａ，１２ｂ，１２ｃ，１２ｄが有する磁石１４ａ，１４ｂ，１４ｃ，１４ｄによって、消臭剤保持装置１をボンネット３の裏面に容易に配設することができ、また容易に配設位置を変更することができる。また、本実施の形態による消臭剤保持装置１は、エンジンルーム内に一般のユーザが設置することができるため、例えば、整備工場等に設置を依頼する必要はなく、設置するためのコストを低減させることができる。また、消臭剤２０として備長炭のチップを使用することによって、脱臭効果がより高まることになる。
【００２６】
なお、本実施の形態において、消臭剤保持装置１は、ボンネット３の裏面に着設された場合に、ボンネット３から離れる方向に保持部１１を付勢する付勢手段をさらに備えてもよい。例えば、図４Ｂで示されるように、支持部１２ａが有するＬ字部材１３ａは、外筒パイプ２１，２２と、内パイプ２３と、雄ネジ２４と、内パイプ２３を図中上方に付勢する付勢手段２７とを有していてもよい。付勢手段２７以外の構成は、上述の説明と同様である。付勢手段２７は、例えば、バネであり、一端が外筒パイプ２２内の端部に接しており、他端が内パイプ２３の一端に接している。なお、内パイプ２３は、外筒パイプ２２から抜け落ちないようになっていることが好適である。また、図４Ｂでは、支持部１２ａについてのみ説明したが、他の支持部１２ｂ，１２ｃ，１２ｄについても同様である。また、図４Ｂにおいても、消臭剤２０を省略している。したがって、各支持部１２ａ，１２ｂ，１２ｃ，１２ｄがバネである付勢手段２７を有することによって、保持部１１は、磁石１４ａ，１４ｂ，１４ｃ，１４ｄから離れる方向に、すなわち、ボンネット３の裏面から離れる向きに押し出されることになる。その結果、保持部１１を吸気口８に押しつけることができ、消臭剤２０と吸気口８の開口部との密着度を高めることができうる。特に、ボンネット３を開けた状態でボンネット３の裏面に消臭剤保持装置１を配設するため、ボンネット３を閉めた状態における保持部１１と吸気口８との距離を調整することは難しい。一方、このように消臭剤保持装置１が付勢手段２７を有することによって、保持部１１と吸気口８との距離を厳密に調整しなくても、両者が適切な位置関係となるようにすることができ、消臭剤保持装置１を設置するユーザの利便性が向上することになる。また、消臭剤保持装置１は、付勢手段２７を有すると共に、ボンネット３に対する保持部１１の距離や角度を調節可能であってもよい。
【００２７】
また、本実施の形態では、消臭剤保持装置１がボンネットの裏面に着設される場合について主に説明したが、そうでなくてもよい。前述のように、消臭剤保持装置１は、ボンネットの裏面以外のエンジンルーム内に着設されてもよい。
【００２８】
また、本実施の形態では、支持部１２ａ，１２ｂ，１２ｃ，１２ｄが磁石１４ａ，１４ｂ，１４ｃ，１４ｄによって自動車のボンネット３の裏面に着設される場合について説明したが、そうでなくてもよい。支持部１２ａ，１２ｂ，１２ｃ，１２ｄは、例えば、両面テープや接着剤、面ファスナー、または、その他の着設手段によって、ボンネット３の裏面や、エンジンルーム内のその他の箇所に着設されてもよい。なお、その両面テープ等の着設手段は、自動車の振動によっても消臭剤保持装置１が脱落しないようにボンネット３の裏面等に着設されるものであり、また、消臭剤保持装置１を設置するユーザが、着設位置を容易に変更できる程度の着設強度であることが好適である。また、その着設手段は、１回着設された後には、着設位置を変更できないものであってもよい。
【００２９】
また、本実施の形態における保持部１１の形状や構成、保持部１１と支持部１２ａ，１２ｂ，１２ｃ，１２ｄとの位置関係、支持部の構成や個数は問わない。例えば、保持部１１は、狭いエンジンルーム内でも消臭剤２０を保持することができるようにするため、薄い形状のものであってもよい。また、２個の支持部で保持部１１を支持してもよい。
【００３０】
なお、本実施の形態では、消臭剤保持装置１が消臭剤２０を有している場合について説明したが、そうでなくてもよい。消臭剤保持装置１は、消臭剤２０を有していなくてもよい。その場合であっても、消臭剤保持装置１が現実に使用されるまでに、保持部１１が消臭剤２０を保持していることが好適である。
また、本発明は、以上の実施の形態に限定されることなく、種々の変更が可能であり、それらも本発明の範囲内に包含されるものであることは言うまでもない。
【産業上の利用可能性】
【００３１】
以上より、本発明による消臭剤保持装置によれば、自動車内に導入される外気の消臭を行うための消臭剤を保持できるという効果が得られ、車内の消臭のために用いられる装置として有用である。
【符号の説明】
【００３２】
１  消臭剤保持装置
８  吸気口
１１  保持部
１２ａ、１２ｂ、１２ｃ、１２ｄ  支持部
１３ａ、１３ｂ、１３ｃ、１３ｄ  Ｌ字部材
１４ａ、１４ｂ、１４ｃ、１４ｄ  磁石
２０  消臭剤
２７  付勢手段
【図１】
2015000632.tif 000003
【図２】
2015000632.tif 000004
【図３Ａ】
2015000632.tif 000005
【図３Ｂ】
2015000632.tif 000006
【図４Ａ】
2015000632.tif 000007
【図４Ｂ】
2015000632.tif 000008